(57)【要約】【課題】  一つの装置で親指〜小指まで全てリハビリ可能な手の指用リハビリ装置を提供すること。【解決手段】  リハビリすべき手を載せる固定用基板１上に、リール状の膨縮体取り付け部材２を固定し、この膨縮体取り付け部材２の胴部に、手の人差指〜小指の腹部分を受け入れる断面ほぼ円弧状またはＵ字状の４個の溝３ａ〜３ｄを形成し、各溝３ａ〜３ｄに、膨縮体４ａ〜４ｄを取り付け、前記膨縮体取り付け部材２の少なくとも一方の端面に、親指用の膨縮体４ｅを取り付け、各膨縮体４ａ〜４ｅを、エアホース５を通じてバルブ６に接続し、このバルブ６を介してポンプ７に接続し、前記固定用基板１に、リハビリすべき手の手首付近を固定する固定用バンド９を設け、前記膨縮体取り付け部材２には人差指〜小指を一括して固定する固定用バンド１０を設けて構成した。【選択図】      図２
2005080872.tif 000002
【特許請求の範囲】
【請求項１】
リハビリすべき手を載せる固定用基板（１）上に、リール状の膨縮体取り付け部材（２）を固定し、
この膨縮体取り付け部材（２）の胴部に、手の人差指〜小指の腹部分を受け入れる断面ほぼ円弧状またはＵ字状の４個の溝（３ａ）〜（３ｄ）を形成し、
各溝（３ａ）〜（３ｄ）に、膨らんだり縮んだりする膨縮体（４ａ）〜（４ｄ）を取り付けるとともに、前記膨縮体取り付け部材（２）の少なくとも一方の端面に、親指用の膨縮体（４ｅ）を取り付け、
各膨縮体（４ａ）〜（４ｅ）を、エアホース（５）を通じてバルブ（６）に接続し、このバルブ（６）を介してポンプ（７）に接続し、
前記固定用基板（１）に、リハビリすべき手の手首付近を固定する固定用バンド（９）を設け、前記膨縮体取り付け部材（２）には人差指〜小指を一括して固定する固定用バンド（１０）を設けた、
ことを特徴とする手の指用リハビリ装置。
【請求項２】
請求項１において、前記膨縮体（４ａ）〜（４ｅ）は風船のような中空状の袋体からなり、ゴムまたは可撓性を有しかつ伸縮自在な合成樹脂からなることを特徴とする手の指用リハビリ装置。
【請求項３】
請求項１において、前記バルブ（６）はディストリビュータ機能を有していることを特徴とする手の指用リハビリ装置。
【請求項４】
関節部分に当てがわれる振動体（１２）からなり、この振動体（１２）は振動可能な電磁石手段からなることを特徴とする手の指用リハビリ装置。
【請求項５】
請求項４において、前記振動体（１２）とともに関節部分に当てがわれる電極（１５）が設けられ、この電極（１５）は低周波電流を流し、手の指の関節部分に刺激を与えることを特徴とする手の指用リハビリ装置。
【請求項６】
請求項５において、前記振動体（１２）、電極（１５）は指に対し着脱自在なキャップ状のケース（１１）内に設けられていることを特徴とする手の指用リハビリ装置。
【発明の詳細な説明】
【技術分野】
【０００１】
この発明は、いわゆる廃用手と称される手が不自由になった人のためのリハビリ用装置に関する。
【背景技術】
【０００２】
近年、脳梗塞にかかる人が老若男女を問わず増加する傾向にある。
【０００３】
その原因としては、単に年齢的な問題のみで片付けられるものではなく、現代においては食生活の変化、過労やストレス等にも起因していると考えられ、高齢化社会に向かって今後、益々増加する傾向にあるため、安価で効果的なリハビリ装置の提供が望まれている。
【０００４】
ひとたび脳梗塞にかかると、各種治療を施しても、短期間で健常者として無事社会復帰する人は希であり、半身不随になったり、手や足等に障害が残ることが多く、このような後遺症を治癒するためには長期のリハビリを根気強く行う必要がある。
【０００５】
関節の癒着・拘縮による筋力の低下等によって、手が不自由となった廃用手のリハビリ装置としては、例えば図７に示すような、手指用ＣＰＭポータブルハンドと称されるもの（許可番号１３ＢＹ６１９９）が存在する。
【０００６】
この装置は、ケーシング内に電動モータやギヤ機構が内蔵された本体２１と、この本体２１を腕１８や手１９に固定するための固定用バンド２２，２３と、本体２１のギヤ機構に連結され、指の曲げ運動を行うためのリンク機構２４と、このリンク機構２４のほぼ先端に直交方向に設けられた円弧状のアーム２５とを備え、このアーム２５に取り付けられた短円筒状の指用装着具２６を人差指、中指、薬指、小指に取り付け、本体２１にコード２７を介し接続されたコントロールボックス２８を反対側の手で、または第三者が操作して強制的に指の屈伸運動を行う構成となっている。
【０００７】
図８（ａ），（ｂ）はそのリハビリの使用状態を示す。
【０００８】
すなわち、図８（ａ）に示すように、指が伸びた状態から、リンク機構２４を介し図８（ｂ）に示すように指を曲げるようにし、これらの運動を繰り返して行い、関節の癒着・拘縮などの改善や関節可動域を確保するものである。
【発明の開示】
【発明が解決しようとする課題】
【０００９】
しかしながら、このリハビリ装置は、運動モータやギヤ機構、リンク機構等からなり、構成が複雑であり、小売価格が７０〜８０万円もし、非常に高価であり、一般の人が手軽に購入して身近に使用するには難点があった。
【００１０】
また、リハビリは人差指〜小指を対象としており、親指のリハビリ機能はなく、完全な装置とはいえなかった。
【００１１】
このため、親指のリハビリには別途の装置を購入しなければならず、より費用の負担が強いられていた。
【００１２】
さらに、各指を一本ずつ曲げたり伸ばしたり、あるいは所望の指のみを選択的に曲げたり伸ばしたりすることができず、適切な治療を行うことができなかった。
【００１３】
また、本体２１にはモータ、ギヤ等が内蔵され、リンク機構２４等を連結するなどし、これらを腕１８や手１９に装着するとかなりの重量となり、麻痺した手１９に負担を与えることになり、長時間の使用には不向きであり、使い勝手が悪い、という課題もあった。
【００１４】
この発明は、上記のことに鑑み提案されたもので、その目的とするところは、簡易構成であって安価で身近なものとし、誰でも気軽に、かつ容易に使用し得、かつ一つの装置で親指〜小指まで全てリハビリ可能であり、または必要とされる指のみを選択して使用し得る軽量な手の指用リハビリ装置を提供することにある。
【課題を解決するための手段】
【００１５】
この発明は、リハビリすべき手を載せる固定用基板１上に、リール状の膨縮体取り付け部材２を固定し、この膨縮体取り付け部材２の胴部に、手の人差指〜小指の腹部分を受け入れる断面ほぼ円弧状またはＵ字状の４個の溝３ａ〜３ｄを形成し、各溝３ａ〜３ｄに、膨らんだり縮んだりする膨縮体４ａ〜４ｄを取り付けるとともに、前記膨縮体取り付け部材２の少なくとも一方の端面に、親指用の膨縮体４ｅを取り付け、各膨縮体４ａ〜４ｅを、エアホース５を通じてバルブ６に接続し、このバルブ６を介してポンプ７に接続し、前記固定用基板１に、リハビリすべき手の手首付近を固定する固定用バンド９を設け、前記膨縮体取り付け部材２には人差指〜小指を一括して固定する固定用バンド１０を設けた構成とすることにより、前記目的を達成している。
【００１６】
また、この場合、前記膨縮体（４ａ）〜（４ｅ）は風船のような中空状の袋体からなり、ゴムまたは可撓性を有しかつ伸縮自在な合成樹脂からなる。
【００１７】
さらに、前記バルブ（６）はディストリビュータ機能を有している。
【００１８】
また、関節部分に当てがわれる振動体１２からなり、この振動体１２は振動可能な電磁石手段からなる構成とすることにより、前記目的を達成している。
【００１９】
また、前記振動体１２とともに関節部分に当てがわれる電極１５が設けられ、この電極１５は低周波電流を流し手の指の関節部分に刺激を与える構成としている。
【００２０】
この場合、前記振動体１２、電極１５は指に対し着脱自在なキャップ状のケース１１内に設けられている。
【発明の効果】
【００２１】
本発明では、固定用基板１上に、膨縮体取り付け部材２を固定し、この膨縮体取り付け部材２の胴部に人差指〜小指用の４個の溝３ａ〜３ｄを形成し、各溝３ａ〜３ｄに、膨らんだり縮んだりする膨縮体４ａ〜４ｄを取り付けるとともに、前記膨縮体取り付け部材２の少なくとも一方の端面に、親指用の膨縮体４ｅを取り付け、各膨縮体４ａ〜４ｅを、エアホース５を通じてバルブ６に接続し、前記固定用基板１に、手首付近を固定する固定用バンド９を設け、前記膨縮体取り付け部材２には人差指〜小指までを一括して固定する固定バンド１０を設けており、使用に当たって、リハビリすべき手を固定用基板１上に載せて手首付近を固定用バンド９で固定し、人差指〜小指の腹を当該膨縮体４ａ〜４ｄに当てて膨縮体４ａ〜４ｄに人差指〜小指を持たせ、この状態で固定用バンド１０により一括して固定し、親指を膨縮体４ｅに当てがい、各膨縮体４ａ〜４ｅにポンプ７、バルブ６およびエアホース５を通じてエアを送って膨らませたり、各膨縮体４ａ〜４ｅからエアホース５およびバルブ６を通じてエアを抜いて縮ませたりすることにより、親指〜小指に至るまで、繰り返して屈伸運動を与えることができるので、一つの装置で手の親指〜小指の全てをリハビリし得る効果があり、簡易構成であって安価に提供できる効果を有する外、身近なものとして誰でも気軽に、かつ容易に使用し得る効果もある。
【００２２】
また、本発明では前記膨縮体４ａ〜４ｅを、風船のような中空状の袋体とし、ゴムまたは可撓性を有しかつ伸縮自在の合成樹脂で形成しているので、リハビリすべき手の指の腹にフィットするため、リハビリすべき手の指を的確にリハビリし得る効果がある。
【００２３】
また、本発明では前記バルブ（６）にディストリビュータ機能を持たせているので、前記ポンプ７、バルブ６およびエアホース５を通じて膨縮体４ａ〜４ｅに順次エアを送って膨らませ、親指〜小指を順次リハビリさせるなど、使用に際して多様性を持たせ得る効果がある。
【００２４】
また、本発明では手の指の関節部分に当てがう振動体１２を備え、この振動体１２を、振動可能な電磁石手段で構成しているので、リハビリを必要とする手の指のみを選択してリハビリに供し得る効果があり、軽量なるため、リハビリに要する指に対する負担を軽減し得る効果もある。
【００２５】
さらに、本発明では前記振動体１２とともに指の関節部分に当てがう電極１５を設け、この電極１５に低周波電流を流し、刺激を与えるようにしているので、リハビリすべき手の指の機能回復を、より一層促進し得る効果がある。
【００２６】
さらにまた、本発明では前記振動体１２および電極１５を、指に対して着脱自在なキャップ状のケース１１内に設けているので、リハビリすべき手の指に簡単に装着し使用でき、使い勝手を向上させ得る効果がある。
【発明を実施するための最良の形態】
【００２７】
以下、本発明の実施の形態を図面に基づいて説明する。
【実施例１】
【００２８】
図１〜図５は本発明の実施例１を示すもので、図１は平面図、図２は正面図、図３は図２の右側面図、図４は使用状態の斜視図、図５は使用状態の側面図である。
【００２９】
これら図１〜図５に示す実施例１の手の指用リハビリ装置は、リハビリすべき手を載せる固定用基板１上の前側に、膨縮体取り付け部材２が固定されている。
【００３０】
前記膨縮体取付部材２は、全体として、楕円形の下側の一部分を切欠した溝車状に形成されている。この膨縮体取り付け部材２の胴部には、軸方向にほぼ手の人差指〜小指の配列間隔に合わせて、４個の溝３ａ〜３ｄが形成されている。各溝３ａ〜３ｄは、手の指の腹を受け入れ得るほぼ円弧形、または図示のようなほぼＵ字形に形成されている。
【００３１】
前記膨縮体取り付け部材２の胴部に形成された溝３ａ〜３ｄには、手の人差指〜小指用の膨縮体４ａ〜４ｄが設けられており、同膨縮体取り付け部材２の一方の端面には、親指用の膨縮体４ｅが設けられている。各膨縮体４ａ〜４ｅは、風船のような中空状の袋体に形成され、またゴムまたは可撓性を有しかつ伸縮自在な合成樹脂により形成されていて、膨らんだり縮んだりするようになっている。各膨縮体４ａ〜４ｅは、横断面形状が円形、長円形、楕円形、長方形等に形成されている。
【００３２】
前記膨縮体４ａ〜４ｅは、図２に示すように、エアホース５を通じてバルブ６に接続されている。このバルブ６は、エア供給用のポンプ７に接続されている。また、前記バルブ６は例えば第１〜第５の室６ａ〜６ｅを有し、当該第１〜第５の室６ａ〜６ｅに第１〜第５のホース５ａ〜５ｅが接続されている。さらに、前記バルブ６には周知の電子回路を保有してなるコントローラ８が接続されている。しかして、前記コントローラ８によりバルブ６には、いわゆるディストリビュータ機能が付与されていて、例えばバルブ６の第１〜第５の室６ａ〜６ｅ開に順次切り換えられ、ポンプ７から切り換えられた第１〜第５の室６ａ〜６ｅのうちの室を経て、これに接続された第１〜第５のホース５ａ〜５ｅのうちのホースを通じて当該膨縮体にエアを送給できるようになっている。
【００３３】
前記固定用基板１には、リハビリすべき手の手首付近を固定するための固定用バンド９が取り付けられている。この固定用ハンド９の端部同士の結合部分には、マジックテープ９′が設けられている。また、前記膨縮体取り付け部材２には、リハビリすべき手の人差指〜小指を一括して固定するための固定用バンド１０が取り付けられている。この固定用ハンド１０の端部同士の結合部分にも、マジックテープ１０′が設けられている。
【００３４】
前述のごとく構成した実施例１の手の指用リハビリ装置は、次のように使用され、作用する。
【００３５】
すなわち、リハビリすべき手１９の掌を固定用基板１上に載せて手首付近を固定用バンド９で固定する。また、人差指〜小指の腹を当該膨縮体４ａ〜４ｄに当てて膨縮体４ａ〜４ｄに人差指〜小指を持たせ、この状態で固定用バンド１０により人差指〜小指を一括して固定する。さらに、膨縮体取り付け部材２の端面に取り付けられた膨縮体４ｅにリハビリすべき手の親指の腹を当接させる。
【００３６】
この状態でポンプ７およびコントローラ８に電源を投入し、ポンプ７を起動し、またバルブ６の第１〜第５の室６ａ〜６ｅを切り換え可能にコントローラ８をセットする。
【００３７】
いま、コントローラ８によりバルブ６を第１の室６ａ開，第２の室６ｂ開，第３の室６ｃ開，…の順に切り換えて行くものとする。
【００３８】
まず、コントローラ８によりバルブ６の第１の室６ａ開に切り換えると、ポンプ７から供給されたエアはバルブ６の第１の室６ａ→エアホース５の第１のホース５ａ→膨縮体４ａに送給され、膨縮体４ａが徐々に膨らみ、図５に示すように、手の人差指が徐々に、積極的に伸ばされる。このとき、他の膨縮体４ｂ〜４ｅは縮んだ状態に保たれる。
【００３９】
次に、コントローラ８によりバルブ６の第２の室６ｂ開に切り換えると、ポンプ７からバルブ６の第２の室６ｂ→エアホース５の第２のホース５ｂ→膨縮体４ｂにエアが送給され、そのエアにより膨縮体４ｂが徐々に膨らみ、手の中指が徐々に、積極的に伸ばされる。このとき、前記膨縮体４ａ内のエアは、エアホース５の第１のホース５ａ→バルブ６の第１の室６ａから大気に放出され、膨縮体４ａが縮み、手の人差指が屈曲する方向に戻る。
【００４０】
続いて、コントローラ８によりバルブ６の第３の室６ｃ開，第４の室６ｄ開，第５の室６ｅ開，第１の室６ａ開に順次切り換えると、エアホースの当該第３，第４，第５，第１のホース５ｃ，５ｄ，５ｅ，５ａを通じて、当該膨縮体４ｃ，４ｄ，４ｅ，４ａに順次エアが送給され、当該膨縮体４ｃ，４ｄ，４ｅ，４ａが順次膨らみ、これにより薬指，小指，親指，人差指が順次積極的に伸ばされる。このとき、膨縮体４ｂ，４ｃ，４ｄ，４ｅ内のエアが、エアホース５の当該第２，第３，第４，第５のホース５ｂ，５ｃ，５ｄ，５ｅを経て、バルブ６の当該第２，第３，第４，第５の室６ｂ，６ｃ，６ｄ，６ｅより順次大気に放出される。その結果、膨縮体４ｂ，４ｃ，４ｄ，４ｅが順次縮み、手の中指，薬指，小指，親指が順次屈曲した状態に戻る。
【００４１】
以上の操作を繰り返して行うことにより、膨縮体４ａ，４ｂ，４ｃ，４ｄ，４ｅを次々に膨らませ、ついで縮ませることによって、リハビリすべき手１９の親指〜小指に至るまで、全て一つの装置で屈伸運動を繰り返して与え、リハビリさせることができる。
【実施例２】
【００４２】
前記膨縮体取り付け部材２の、軸方向の両端面に膨縮体を取り付け、これらの膨縮体をそれぞれエアホース５を通じてバルブ６に接続してもよい。
【００４３】
このように構成すれば、一つの装置で左右いずれの手であっても、親指〜小指に至るまで、リハビリを行うことができる。
【実施例３】
【００４４】
図６は本発明の実施例３における使用状態の縦断側面図である。
【００４５】
この図６に示す実施例３の手の指用リハビリ装置では、リハビリすべき手の指２０の先端部に嵌めるケース１１の内部に、振動体１２が設けられている。
【００４６】
前記ケース１１は、ゴムまたは絶縁性の合成樹脂により縦断面ほぼＵ字状に形成され、かつ指２０の先端部に対して着脱自在のキャップ状に形成されている。
【００４７】
前記振動体１２は、コイル１３と、その中央部に設けられた鉄心１４とを備え、いわゆる電磁石手段として構成されている。そして、この振動体１２は指２０の関節部分に当てがわれて使用されるようになっており、通電用のリード線（図示せず）を通じてコイル１３に通電すると振動し、指２０に振動を与え、刺激を付与するようになっている。
【００４８】
前記ケース１１の内部には、電極１５が設けられている。
【００４９】
前記電極１５は、指２０の先端部に着脱自在なキャップ状に形成され、指２０の関節部分に当てがって使用し得るように形成されている。この電極１５は、周知の低周波治療器の電極として機能するようになっており、指２０に低周波を流し、刺激を与えるようになっている。
【００５０】
前述のごとく構成した実施例３の手の指用リハビリ装置は、次のように使用され、作用する。
【００５１】
すなわち、内部に振動体１２と電極１５とを設けてなるケース１１を、リハビリすべき手の指２０の先端部に嵌め、コイル１３と鉄心１４とを備える振動体１２を、指２０に振動を与え得るように配置し、さらに電極１５を指２０に嵌め、低周波電流を流し得るように配置する。
【００５２】
この状態で振動体１２のコイル１３に通電すると、振動体１２が振動し、その振動により指２０に刺激を与え、指２０をリハビリする。
【００５３】
また、電極１５に通電すると、低周波電流が流れ、この低周波電流により指２０に刺激を与え、指２０をリハビリする。
【００５４】
したがって、この実施例３によれば、指２０に振動と低周波電流とにより刺激を与えてリハビリするようにしているので、振動と低周波電流の相乗作用により指２０を効果的にリハビリすることができる。
【００５５】
なお、この実施例３において、指２０に振動体１２の振動により刺激を与えることと、低周波治療器としての電極１５の低周波電流により刺激を与えることとを単独で用いても、相応の効果を発揮する。
【００５６】
また、この実施例３の手の指用リハビリ装置は、リハビリを必要とする手の指全部に装着して使用してもよく、必要とする指のみに装着して使用してもよい。
【００５７】
さらに、この実施例３のものはコンパクトに形成でき、しかも指先に嵌めるだけで簡便に使用することができる。
【図面の簡単な説明】
【００５８】
【図１】本発明の実施例１の平面図である。
【図２】同実施例１の正面図である。
【図３】図２の右側面図である。
【図４】同実施例１の使用状態の斜視図である。
【図５】同実施例１の使用状態の側面図である。
【図６】本発明の実施例３における使用状態の縦断側面図である。
【図７】従来技術を示す斜視図である。
【図８】（ａ），（ｂ）は従来技術の使用状態の説明図である。
【符号の説明】
【００５９】
１    固定用基板
２    膨縮体取り付け部材
３ａ〜３ｄ  溝
４ａ〜４ｅ  膨縮体
５    エアホース
６    バルブ
７    ポンプ
８    コントローラ
９  手首付近の固定用バンド
１０  人差指〜小指までの固定用バンド
１１  キャップ状のケース
１２  振動体
１３  コイル
１４  鉄心
１５  電極
【図１】
2005080872.tif 000003
【図２】
2005080872.tif 000004
【図３】
2005080872.tif 000005
【図４】
2005080872.tif 000006
【図５】
2005080872.tif 000007
【図６】
2005080872.tif 000008
【図７】
2005080872.tif 000009
【図８】
2005080872.tif 000010